(57)【要約】【課題】重量が重く寸法的にも大きなコネクタを複数個、高い強度で取り付けることのできる箱体下面のコネクタ取付部構造を提供する。【解決手段】ロアカバー（箱体）１０の下面１０ａに、該下面１０ａに沿って取付部品をスライドさせて係合する第１のスライドロック部１１を設け、この第１のスライドロック部を介してロアカバー１０の下面１０ａに矩形枠状のコネクタホルダ２０を取り付け、このコネクタホルダ２０の縦壁２０ｃ、２０ｅに、該縦壁２０ｃ、２０ｅに沿って複数のコネクタをスライドさせて係合するための複数の第２のスライドロック部２３、２４、２５を設けた。【選択図】図８
2007097322.tif 000002
【特許請求の範囲】
【請求項１】
箱体の下面に、該下面に沿って取付部品をスライドさせて係合する第１のスライドロック部を設け、この第１のスライドロック部を介して前記箱体の下面に矩形枠状のコネクタホルダを取り付け、このコネクタホルダの壁面に、該壁面に沿って複数のコネクタをスライドさせて係合するための複数の第２のスライドロック部を設けたことを特徴とする箱体下面のコネクタ取付部構造。
【請求項２】
請求項１に記載の箱体下面のコネクタ取付部構造であって、
前記箱体の内底面に、前記第１のスライドロック部のスライド溝と連通する開口を設け、前記第１のスライドロック部のスライド溝に対して前記コネクタホルダ側のスライド凸部を係合した状態において、前記箱体と前記コネクタホルダとの間に、前記開口を通しての水抜きを可能にする隙間を確保したことを特徴とする箱体下面のコネクタ取付部構造。
【請求項３】
請求項１又は２に記載の箱体下面のコネクタ取付部構造であって、
前記箱体の下面に略直交する関係にある前記コネクタホルダの各縦壁に、前記第２のスライドロック部を設けたことを特徴とする箱体下面のコネクタ取付部構造。
【発明の詳細な説明】
【技術分野】
【０００１】
本発明は、箱体の下面に複数のコネクタを着脱自在に取り付ける場合に有用なコネクタ取付部の構造に関するものである。
【背景技術】
【０００２】
図１０〜図１３は、リレーブロックのロアカバー（箱体）１１０の下面に複数のコネクタ１３０を取り付ける場合の従来構造を示している。この従来例では、ロアカバー１１０の下面に直接、取付部品をスライドさせて係合するためのスライドロック部１１１を複数並べて設け、このスライドロック部１１１にコネクタ１３０の上面のスライド凸部１３１を係合させることで、ロアカバー１１０の下面にコネクタ１３０を取り付けている。
【０００３】
また、図１４に示す従来例では、電気接続箱２００のロアカバー２１０の下面に垂直に平板状の基板２２０を垂下し、この基板２２０の両板面にスライドロック部２２１を設け、これら各スライドロック部２２１にコネクタ２３０の側部を係合させることで、ロアカバー２１０の下側に複数のコネクタを２３０をそれぞれ取り付けている（例えば、特許文献１参照）。
【特許文献１】特開２００３−１６４０３７号公報
【発明の開示】
【発明が解決しようとする課題】
【０００４】
ところで、重量が軽く寸法的にも小さいコネクタを箱体の下面に取り付ける場合は、前述の従来構造で問題はないが、重量が重く寸法的にも大きなコネクタを多数個、面積の限られた箱体の下面に高い強度で取り付けようとすると、前述の従来構造では特に強度的に無理があることがわかった。
【０００５】
本発明は、上記事情を考慮し、重量が重く寸法的にも大きなコネクタを複数個、高い強度でそれぞれ取り付けることのできる箱体下面のコネクタ取付部構造を提供することを目的とする。
【課題を解決するための手段】
【０００６】
請求項１の発明は、箱体の下面に、該下面に沿って取付部品をスライドさせて係合する第１のスライドロック部を設け、この第１のスライドロック部を介して前記箱体の下面に矩形枠状のコネクタホルダを取り付け、このコネクタホルダの壁面に、該壁面に沿って複数のコネクタをスライドさせて係合するための複数の第２のスライドロック部を設けたことを特徴とする。
【０００７】
請求項２の発明は、請求項１に記載の箱体下面のコネクタ取付部構造であって、前記箱体の内底面に、前記第１のスライドロック部のスライド溝と連通する開口を設け、前記第１のスライドロック部のスライド溝に対して前記コネクタホルダ側のスライド凸部を係合した状態において、前記箱体と前記コネクタホルダとの間に、前記開口を通しての水抜きを可能にする隙間を確保したことを特徴とする。
【０００８】
請求項３の発明は、請求項１又は２に記載の箱体下面のコネクタ取付部構造であって、前記箱体の下面に略直交する関係にある前記コネクタホルダの各縦壁に、前記第２のスライドロック部を設けたことを特徴とする。
【発明の効果】
【０００９】
請求項１の発明によれば、箱体の下面に第１のスライドロック部を介して矩形枠状のコネクタホルダを取り付け、このコネクタホルダの壁面に各コネクタを取り付けるための第２のスライドロック部を設けているので、個々のコネクタを取り付けるためのスライドロック部を、直接箱体の下面に形成しなくてよくなり、コネクタの重さや寸法あるいは個数に拘わらず、寸法的な余裕を持ってコネクタホルダを箱体に取り付けることができる。すなわち、個々のコネクタではなく、個々のコネクタを取り付けるためのコネクタホルダを箱体の下面に取り付ければよいので、設計的な自由度を大きくとることができ、剛性の大きなスライドロック部を介して、また、スライド係合操作のしやすいスライドロック部を介して、コネクタホルダを高強度に且つ容易に取り付けることができる。特に、コネクタホルダは矩形枠状に形成してあり、それ自体の剛性が高いので、従来のように単一の基板の板面にコネクタを取り付ける場合と違って、高強度にコネクタを取り付けることができる。
【００１０】
請求項２の発明によれば、箱体の内底面に形成した開口及び箱体とコネクタホルダの間に確保した隙間を通して、万一箱体内に水が浸入した場合にもその水を排出することができる。
【００１１】
請求項３の発明によれば、矩形枠状のコネクタホルダの各縦壁にコネクタを取り付けるための第２のスライドロック部を設けたので、縦壁の枚数に応じて多数のコネクタを取り付けることができる。また、上下方向の剛性の高い縦壁にコネクタを取り付けるので、取り付け強度を高く維持することができる。
【発明を実施するための最良の形態】
【００１２】
以下、本発明の実施形態を図面を参照して説明する。
【００１３】
図１〜図９は実施形態の説明図で、図１は箱体の下面にコネクタホルダを取り付けた状態を示す斜視図、図２は箱体の下面にコネクタホルダを取り付ける前の状態を示す斜視図、図３は下側から見た場合の斜視図である。また、図４は箱体の下面にコネクタホルダを取り付けた状態を示す正面図、図５は同上面図、図６は図５中ＶＩ−ＶＩ矢視断面図、図７は図５中ＶＩＩ−ＶＩＩ矢視断面図、図８は図５中ＶＩＩＩ−ＶＩＩＩ矢視断面図、図９は図５中ＩＸ−ＩＸ矢視断面図である。
【００１４】
図１〜図９において、１０はリレーブロックのロアカバー（箱体）、２０はそのロアカバー１０の下面（底面）１０ａに取り付けられるコネクタホルダ（コネクタブロックとも呼ばれる）であり、図示しないコネクタはこのコネクタホルダに取り付けられる。本例では、図２中の矢印Ａ、Ｂ、Ｃで示す３箇所にコネクタが取り付けられるようになっている。
【００１５】
ロアカバー１０の下面１０ａには、該下面１０ａに沿って取付部品をスライドさせて係合する第１のスライドロック部（スルーロックとも呼ばれる）１１が、互いに間隔をおいて３本平行に設けられており、これら各第１のスライドロック部１１の断面Ｔ字形のスライド溝１１ａに、コネクタホルダ２０の上面に設けた断面Ｔ字形のスライド凸部２１をそれぞれスライドさせてロックすることで、ロアカバー１０の下面に、貫通した矩形枠状のコネクタホルダ２０が取り付けられている。
【００１６】
矩形枠状のコネクタホルダ２０は、互いに上下に対向する上下壁２０ａ、２０ｂと、上下壁２０ａ、２０ｂの左右の端部間をそれぞれつなぐ左右の縦壁２０ｃ、２０ｄと、左右の縦壁２０ｃ、２０ｄの中間において上下壁２０ａ、２０ｂ間をつなぐ中間の縦壁２０ｅとを備えており、中間の縦壁２０ｅの両面と正面から見て左側の縦壁２０ｃの外面とに、コネクタをスライドさせて係合するための第２のスライドロック部２３、２４、２５が設けられている。従って、スライドロック部２３、２４に取り付けられるコネクタは、矩形枠状のコネクタホルダ２０の内側の空間に納まることになる。
【００１７】
また、ロアカバー１０の内底面には、図７に示すように、第１のスライドロック部１１のスライド溝１１ａと連通する開口１２が設けられており、第１のスライドロック部１１のスライド溝１１ａに対してコネクタホルダ２０側のスライド凸部２１を係合させた状態において、ロアカバー１０とコネクタホルダ２０との間には、開口１２を通しての水抜きを可能にする隙間Ｈが確保されている。
【００１８】
このコネクタ取付部の構造では、図示のように、第１のスライドロック部１１を介してコネクタホルダ２０をリレーブロックのロアカバー１０の下面に取り付けることができ、その状態で、コネクタホルダ２０の３つの第２のスライドロック部２３、２４、２５に、それぞれ図示しないコネクタを取り付けることができる。
【００１９】
このように、ロアカバー１０の下面１０ａに第１のスライドロック部１１を介して矩形枠状のコネクタホルダ２０を取り付け、このコネクタホルダ２０の壁面に各コネクタを取り付けるための第２のスライドロック部２３、２４、２５を設けているので、個々のコネクタを取り付けるためのスライドロック部を、直接ロアカバー１０の下面１０ａに形成しなくてよくなり、コネクタの重さや寸法あるいは個数に拘わらず、寸法的な余裕を持ってコネクタホルダ２０をロアカバー１０の下面１０ａに取り付けることができる。
【００２０】
つまり、個々のコネクタではなく、個々のコネクタを取り付けるためのコネクタホルダ２０をロアカバー１０の下面１０ａに取り付ければよいので、設計的な自由度を大きくとることができ、各部の厚みを大きくした剛性の大きな第１のスライドロック部１１を介して、コネクタホルダ２０を高強度に、面積の限定されたロアカバー１０の下面１０ａに取り付けることができる。
【００２１】
特に、コネクタホルダ２０は矩形枠状に形成してあり、それ自体の剛性が高いので、従来のように単一の基板の板面にコネクタを取り付ける場合と違って、高強度にコネクタを取り付けることができる。
【００２２】
また、第１のスライドロック部１１の設計的な自由度が増すので、図８に示すように、隣接するスライドロック部１１間（この部分の上壁２０ａに図６に示すようにロック突起２９がある）の間隔Ｓを大きくとることにより、ロック時に撓む部分のスパンを大きくとることができて、ロック時の挿入作業性を良くすることができる。従って、コネクタホルダ２０の組付の容易化が図れる。
【００２３】
また、図７に示すように、ロアカバー１０の内底面にスライドロック部１１のスライド溝１１ａに連通する開口１２を形成し、ロアカバー１０とコネクタホルダ２０の間に隙間Ｈを確保しているので、万一ロアカバー１０内に水が進入した場合にも、その水を排出することができる。
【００２４】
また、本実施形態では、矩形枠状のコネクタホルダ２０の各縦壁２０ｃ、２０ｅにコネクタを取り付けるための第２のスライドロック部２３、２４、２５を設けているので、縦壁２０ｃ、２０ｅの枚数に応じて多数のコネクタを取り付けることができる。また、上下方向の剛性の高い縦壁２０ｃ、２０ｅにコネクタを取り付けるわけであるから、取り付け強度を高く保つことができる。
【図面の簡単な説明】
【００２５】
【図１】本発明の実施形態の説明図で、ロアカバー（箱体）の下面にコネクタホルダを取り付けた状態を示す斜視図である。
【図２】ロアカバーの下面にコネクタホルダを取り付ける前の状態を示す斜視図である。
【図３】図２と同様の状態における下側から見た場合の斜視図である。
【図４】ロアカバーの下面にコネクタホルダを取り付けた状態を示す正面図である。
【図５】ロアカバーの下面にコネクタホルダを取り付けた状態を示す上面図である。
【図６】図５中ＶＩ−ＶＩ矢視断面図である。
【図７】図５中ＶＩＩ−ＶＩＩ矢視断面図である。
【図８】図５中ＶＩＩＩ−ＶＩＩＩ矢視断面図である。
【図９】図５中ＩＸ−ＩＸ矢視断面図である。
【図１０】従来例の説明図で、ロアカバーの下面にコネクタを取り付ける前の状態を示す斜視図である。
【図１１】従来例の説明図で、ロアカバーの下面にコネクタを取り付けた状態を示す斜視図である。
【図１２】図１１の正面方向から見た断面図である。
【図１３】図１１の側面方向から見た断面図である。
【図１４】別の従来例の正面図である。
【符号の説明】
【００２６】
１０  ロアカバー（箱体）
１０ａ  下面
１１  第１のスライドロック部
１１ａ  スライド溝
１２  開口
２０  コネクタホルダ
２０ｃ，２０ｄ，２０ｅ  縦壁
２１  スライド凸部
２３，２４，２５  第２のスライドロック部
Ｈ  隙間
【図１】
2007097322.tif 000003
【図２】
2007097322.tif 000004
【図３】
2007097322.tif 000005
【図４】
2007097322.tif 000006
【図５】
2007097322.tif 000007
【図６】
2007097322.tif 000008
【図７】
2007097322.tif 000009
【図８】
2007097322.tif 000010
【図９】
2007097322.tif 000011
【図１０】
2007097322.tif 000012
【図１１】
2007097322.tif 000013
【図１２】
2007097322.tif 000014
【図１３】
2007097322.tif 000015
【図１４】
2007097322.tif 000016